(57)【特許請求の範囲】
【請求項１】
少なくとも１つの音響要素（８）を有する空気式車両用タイヤ（Ｌ）であって、ホイールリム（１６）に取り付けられ、前記タイヤの内部の空間（１７）を前記リム（１６）とともに取り囲み、
・本体（１２）と層（１３）とを含む音響要素（８）は、前記タイヤの内部の前記空間（１７）を区切ることに関与する内部タイヤ表面（１０）上に配置され、
・前記本体（１２）は、前記内部タイヤ表面（１０）上に配置され、
・前記層（１３）は、前記タイヤの内部の前記空間（１７）に面する前記本体（１２）の表面領域上に配置される、空気式車両用タイヤ（Ｌ）において、
・前記層（１３）は、前記タイヤの内部の前記空間（１７）に面する前記本体（１２）の前記表面領域の少なくとも１５％の上に配置されることと、
・前記層（１３）は、前記内部タイヤ表面（１０）から間隔を空けて配置される第１の表面領域（９）を有することと、
・前記第１の表面領域（９）は、前記第１の表面領域（９）の反対側にある前記層（１３）の表面領域（１１）に空圧的に接続され得ることと、
・前記層（１３）は、ｆ＝ｃ／（（Ｒ＋ｒ）・π）（式中、Ｒは、公称タイヤ径であり、およびｒは、公称リム径であり、およびｃ＝３４３ｍ／ｓである）の基準周波数ｆで測定される、前記第１の表面領域（９）に当たる音波について少なくとも８０％の音反射率を有することと
を特徴とする空気式車両用タイヤ（Ｌ）。
【請求項２】
前記層（１３）は、前記タイヤの内部の前記空間（１７）に面して配置される第１の表面領域（９）および／または前記本体（１２）に面して配置される第１の表面領域（９）を有することを特徴とする、請求項１に記載の空気式車両用タイヤ（Ｌ）。
【請求項３】
前記層（１３）は、前記第１の表面領域（９）に当たる前記基準周波数ｆの音波について少なくとも９０％の音反射率を有することを特徴とする、請求項１または２に記載の空気式車両用タイヤ（Ｌ）。
【請求項４】
前記音響要素（８）および／または前記層（１３）は、少なくとも前記第１の表面領域（９）の領域において、０．８・１０６Ｎｓ／ｍ３〜１８・１０６Ｎｓ／ｍ３の固有音響インピーダンスを有することを特徴とする、請求項１〜３のいずれか一項に記載の空気式車両用タイヤ（Ｌ）。
【請求項５】
前記層（１３）は、少なくとも前記第１の表面領域（９）の領域において、１００Ｎｍ〜６０００Ｎｍの曲げ剛性を有することを特徴とする、請求項１〜４のいずれか一項に記載の空気式車両用タイヤ（Ｌ）。
【請求項６】
前記音響要素（８）は、前記第１の表面領域（９）に垂直な力の影響下で１００Ｎ／ｍ〜２００００Ｎ／ｍのばね定数を有することを特徴とする、請求項１〜５のいずれか一項に記載の空気式車両用タイヤ（Ｌ）。
【請求項７】
前記層（１３）は、少なくとも前記第１の表面領域（９）の領域において、６・１０−６Ｎｍ〜１・１０−２Ｎｍの曲げ剛性を有することを特徴とする、請求項１〜６のいずれか一項に記載の空気式車両用タイヤ（Ｌ）。
【請求項８】
前記第１の表面領域（９）の法線ベクトル（１９）のすべては、半径方向（ｒＲ）と９０°より小さい角度（２０）を形成することを特徴とする、請求項１〜７のいずれか一項に記載の空気式車両用タイヤ（Ｌ）。
【請求項９】
前記第１の表面領域（９）の法線ベクトル（２２）、（２３）のすべては、軸方向（ａＲ）または円周方向（Ｕ）と０°〜４５°の角度（２０）を形成することを特徴とする、請求項１〜８のいずれか一項に記載の空気式車両用タイヤ（Ｌ）。
【請求項１０】
前記音響要素（８）は、多孔質材料から形成され、かつ騒音の低減に好適である減衰要素を有することを特徴とする、請求項１〜９のいずれか一項に記載の空気式車両用タイヤ（Ｌ）。
【請求項１１】
前記本体（１２）は、端縁（２１）によって区切られる、前記タイヤの内部の前記空間（１７）に面する表面領域を有することと、前記層（１３）は、前記表面領域上において、前記端縁（２１）から完全にまたは部分的に間隔を空けて配置されることとを特徴とする、請求項１〜１０のいずれか一項に記載の空気式車両用タイヤ（Ｌ）。
【請求項１２】
前記層（１３）は、０．０１ｍｍ〜２０ｍｍの層厚さを有することを特徴とする、請求項１〜１１のいずれか一項に記載の空気式車両用タイヤ（Ｌ）。
【請求項１３】
前記層（１３）は、プラスチック膜もしくは金属膜またはアルミニウム膜、または繊維強化膜、または天然材料を含む層、もしくは炭素繊維を含む層、もしくはアラミドを含む層、もしくは硬化コーティング、またはラッカーもしくはゴムの層またはスポンジゴムの層、または前記本体（１２）の前記表面領域のコーティングもしくは前記本体（１２）の未処理の外面であることを特徴とする、請求項１〜１２のいずれか一項に記載の空気式車両用タイヤ（Ｌ）。
【請求項１４】
前記第１の表面領域（９）は、円周方向（Ｕ）に閉じられるように形成されることを特徴とする、請求項１〜１３のいずれか一項に記載の空気式車両用タイヤ（Ｌ）。
【請求項１５】
２つ、３つまたはそれを超える音響要素（８）は、前記タイヤ（Ｌ）の円周にわたって分布配置されることを特徴とする、請求項１〜１４のいずれか一項に記載の空気式車両用タイヤ（Ｌ）。
【請求項１６】
少なくとも１つの音響要素（８）を有するホイールリム（１６）であって、前記ホイールリム（１６）に取り付けられた空気式車両用タイヤ（Ｌ）は、前記タイヤの内部の空間（１７）を前記リム（１６）で取り囲み、
・本体（１２）と層（１３）とを含む音響要素（８）は、前記タイヤの内部の前記空間（１７）を区切ることに関与する内部リム面上に配置され、
・前記本体（１２）は、前記内部リム面上に配置され、
・層（１３）は、前記タイヤの内部の前記空間（１７）に面する前記本体（１２）の表面領域上に配置される、ホイールリム（１６）において、
・前記層（１３）は、前記タイヤの内部の前記空間（１７）に面する前記本体（１２）の前記表面領域の少なくとも１５％の上に配置されることと、
・前記層（１３）は、前記内部リム面から間隔を空けて配置される第１の表面領域（９）を有することと、
・前記第１の表面領域（９）は、前記第１の表面領域（９）の反対側にある前記層（１３）の表面領域（１１）に空圧的に接続され得ることと、
・前記層（１３）は、ｆ＝ｃ／（（Ｒ＋ｒ）・π）（式中、Ｒは、公称タイヤ（Ｌ）径であり、およびｒは、公称リム径であり、およびｃ＝３４３ｍ／ｓである）の基準周波数ｆで測定される、前記第１の表面領域（９）に当たる音波について少なくとも８０％の音反射率を有することと
を特徴とするホイールリム（１６）。
【請求項１７】
ホイールリム（１６）を有する車両ホイールおよび前記リム（１６）に取り付けられた空気式車両用タイヤ（Ｌ）であって、前記ホイールリム（１６）および／または前記空気式車両用タイヤ（Ｌ）は、少なくとも請求項１〜１６のいずれか一項に記載のように形成される、車両ホイールおよび空気式車両用タイヤ（Ｌ）。
【発明の詳細な説明】
【技術分野】
【０００１】
本発明は、少なくとも１つの音響要素を有する空気式車両用タイヤに関し、ホイールリムに取り付けられた空気式車両用タイヤは、タイヤの内部の空間をリムとともに取り囲み、本体と層とを含む音響要素は、タイヤの内部の空間を区切ることに関与する内部タイヤ表面上に配置され、本体は、内部タイヤ表面上に配置され、層は、タイヤの内部の空間に面する本体の表面領域上に配置される。本発明は、音響要素を有するホイールリムならびにそのようなリムおよび／またはそのような空気式車両用タイヤを有する車両ホイールにも関する。
【背景技術】
【０００２】
ホイールリムに気密に取り付けられた空気式車両用タイヤが車道で転がるとき、タイヤおよびリムによって取り囲まれたホイールの内部の空間における空気の振動によって騒音が発生し、その騒音は、車両の客室および車両外部の周囲に伝わる。
【０００３】
このような騒音を低減するために、空気式車両用タイヤの内側に減衰要素として発泡体リングを取り付けることが独国特許出願公開第１０２００７０２８９３２Ａ１号明細書で知られている。この減衰要素は、ホイール内部の空間における空気の振動を減少させ、それにより車両の騒音挙動を改善する。
【０００４】
独国特許出願公表第１１２００４００１４３０Ｔ５号明細書は、１５ｍｍの高さおよび１５０ｍｍの軸方向幅の帯状の騒音吸収多孔質材料を有する空気式車両用タイヤを開示しており、それは、３０ｍｍの軸方向幅の弾性固定帯を使用して内部タイヤ表面に固定されている。
【０００５】
しかしながら、このような減衰要素のための材料の使用は、高いコストを伴う。
【０００６】
さらに、独国特許出願公表第６０２００４００９５３３Ｔ２号明細書は、エーテル系ポリウレタンスポンジのノイズダンパを有する車両用タイヤを開示しており、ノイズダンパは、外側コーティングを有し、それは、スポンジ状材料が完全に包まれる０．０６ｍｍの厚さのポリエチレンフィルムによって形成される。しかしながら、スポンジの体積もタイヤの内部の残りの空間に対して気密にフィルムによって密封され、それは、タイヤ取付け時の内圧の増加およびタイヤ作動時の内圧変動に対する装置の抵抗だけでなく、ノイズダンパの音響特性にも悪影響を与える。
【先行技術文献】
【特許文献】
【０００７】
【特許文献１】独国特許出願公開第１０２００７０２８９３２Ａ１号明細書
【特許文献２】独国特許出願公表第１１２００４００１４３０Ｔ５号明細書
【特許文献３】独国特許出願公表第６０２００４００９５３３Ｔ２号明細書
【発明の概要】
【発明が解決しようとする課題】
【０００８】
本発明の目的は、多孔質騒音低減材料の使用をより少なくして音響特性を改善し、その音響要素が圧力変化に対してより耐性がある空気式車両用タイヤを提供することである。
【課題を解決するための手段】
【０００９】
この目的は、層が、タイヤの内部の空間に面する本体の表面の少なくとも１５％、好ましくは少なくとも２０％、特に好ましくは少なくとも３０％の上に配置されることと、層が、内部タイヤ表面から間隔を空けて配置される第１の表面領域を有することと、第１の表面領域が、第１の表面領域の反対側にある層の表面領域に空圧的に接続され得ることと、層が、ｆ＝ｃ／（（Ｒ＋ｒ）π）（式中、Ｒは、公称タイヤ径であり、およびｒは、公称リム径であり、およびｃ＝３４３ｍ／ｓである）の基準周波数ｆで測定される、第１の表面領域に当たる音波について少なくとも８０％の音響反射率を有することとによって達成される。
【００１０】
強く反射する第１の表面領域を有する層を含むこのような音響要素を有する空気式車両用タイヤは、作動中、音周波数にわたる音圧レベルのより均一な分布およびこのような音響要素のないタイヤより低下した音圧レベルピークを有することが見出された。特に、タイヤは、さらなる共振周波数を有し得、ここで、このさらなる共振周波数における音圧レベルは、音響要素のないタイヤの場合より高い音圧レベルを有する。結果として、さらなる共振周波数の音圧レベルが上昇する。同時に、他の周波数における音圧レベルが低下し得る。第１の表面領域が少なくとも８０％の音反射率を有する場合に特に有利であることが分かった。音反射率は、基準周波数ｆで測定され、ここで、ｆは、ｆ＝ｃ／（（Ｒ＋ｒ）・π）で与えられる。Ｒは、この場合、タイヤの公称径であり、ｒは、ホイールリムの公称径であり、およびｃ＝３４３ｍ／ｓである。音反射率は、標準状態、すなわち１０１３．２５ｈＰａの空気圧および２９３．１５Ｋの温度下において、空気の媒体から垂直に第１の表面領域に当たる音波について測定され得る。音反射率は、ＤＩＮ  ＥＮ  ＩＳＯ  １０５３４−２に従って測定され得る。本体の音響特性は、本明細書では完全にまたは大部分が無視される。
【００１１】
音周波数にわたる音圧レベルのより均一な分布の結果として、特にさらなる共振周波数の結果として、少なくとも部分的に音圧レベルが再分配される。この場合に重要な点は、結果として、タイヤの本来の１つまたは複数の共振、すなわちこのような音響要素のないタイヤの共振における音圧レベルが低下することである。特に、このようなタイヤが有する音圧レベルの最大値が低下する。結果的に、このようなタイヤは、騒音低減に好適な高コストの多孔性材料を使用する必要なく音響特性が改善されている。
【００１２】
タイヤの内部の空間に配置される本体は、同心走行、転がり抵抗などのタイヤ特性に影響を与える。一般に、タイヤの内部の空間に配置される要素のための材料の使用が制限される場合、そのような特性にとって有利である。層が、タイヤの内部の空間に面する本体の表面の少なくとも１５％、好ましくは少なくとも２０％、特に好ましくは少なくとも３０％の上に配置される場合、騒音低減と、特に本体のための材料の使用との間の関係にとって特に有効であることが分かった。この場合、好ましくは、タイヤの内部の空間に面する層の表面の少なくとも９０％は、第１の表面領域として形成される。層は、連続的に形成されるか、または互いに間隔を空けた２つ以上の部品から形成され得る。次いで、各部品は、第１の表面領域と第２の表面領域とを有する。この場合、層は、材料接合方法で完全にまたは部分的に本体に接続され得る。
【００１３】
反対側にあるとは、第１の表面領域と、第１の表面領域の反対側にある層の表面領域とが、層内を２つの表面領域に垂直に延びる線によって接続され得ることを意味する。
【００１４】
「空圧的に接続され得る」は、本発明に関連して、空気が第１の表面領域と第１の表面領域の反対側にある層の表面領域との間を通過できる接続があり、それにより空気が第１の表面領域から第１の表面領域の反対側にある表面領域まで通過し得ることを意味する。結果として、空気の交換および圧力の均一化が、２つの表面領域に隣接する体積間で可能となる。音響要素の層以外の本体またはさらなる要素は、本明細書では無視される。空気が通過できるこのような接続は、空気が通過できる層内の開口、および／または空気に対する層の透過性、および／または空気が通過できる２つの表面領域の接続を層の自由端の周りに有する層の配置によって作成され得る。この場合、層は、自由端を有する。層の２つの表面領域は、結果的に、完全に閉じた空間を取り囲まない層の領域に配置される。
【００１５】
結果として、空気の交換および圧力の均一化が、２つの表面領域に隣接する体積間で可能となる。したがって、タイヤを空気で満たすとき、特別に注意する必要はない。音響要素の体積は、タイヤの内圧およびタイヤの作動中に生じるタイヤの内圧の通常の変動におおむね無関係である。第１の表面領域および／または第２の表面領域の配置ならびに結果的に反射特性もタイヤの内圧の変動におおむね無関係である。
【００１６】
結果的に、このような音響要素は、圧力変化、特にタイヤの内圧の変動に対して、その耐久性およびその音響特性の両方においてより耐性がある。
【００１７】
これは、多孔質騒音低減材料の使用をより少なくして音響特性を改善し、その音響要素、さらに音響要素の音響特性が圧力変化に対してより耐性がある空気式車両用タイヤを提供する。
【００１８】
この場合、１つまたは複数の音響要素は、空気式車両用タイヤのトレッドの反対側にある内部タイヤ表面上に配置され得る。層は、内部タイヤ表面から完全にまたは部分的に間隔を空けて配置され得る。
【００１９】
第１の実施形態において、層は、タイヤの内部の空間に面して配置される第１の表面領域および／または本体に面して配置される第１の表面領域を有する。配置に応じて、音は、好ましくは、タイヤの内部の空間に戻るかまたは反射して本体に戻る。好ましくは、反対側にある表面領域も第１の表面領域である。
【００２０】
さらなる実施形態において、層は、第１の表面領域に当たる基準周波数ｆの音波について少なくとも９０％、好ましくは少なくとも９５％、特に好ましくは少なくとも９９％の音反射率を有する。このような高い反射率は、音圧レベルピークの特に良好な低下を可能にする。
【００２１】
さらなる実施形態において、音響要素は、少なくとも第１の表面領域の領域において、０．８・１０６Ｎｓ／ｍ３〜１８・１０６Ｎｓ／ｍ３、好ましくは１１・１０６Ｎｓ／ｍ３〜１８・１０６Ｎｓ／ｍ３の固有音響インピーダンスを有する。固有音響インピーダンスは、媒体が媒体に作用する音に抵抗する波抵抗の尺度である。この場合、固有音響インピーダンスＺは、Ｚ＝（ρ・Ｇ）１／２と定義される。ρは、標準状態下での密度であり、Ｇは、剪断弾性係数である。剪断弾性係数は、ＤＩＮ  ＩＳＯ  １８２７に従って測定され得る。このような音響要素の場合、音波が第１の表面領域に当たるとき、層の位置は、少なくとも第１の表面領域の領域において音圧によって変えることができ、それにより音響エネルギを吸収することができる。
【００２２】
本発明に関連して、「第１の表面領域の領域で」という語句は、完全な層厚さを含む層の領域を含み、その領域は、少なくとも第１の表面領域を含む。
【００２３】
層が、少なくとも第１の表面領域の領域において、０．８・１０６Ｎｓ／ｍ３〜１８・１０６Ｎｓ／ｍ３、好ましくは１１・１０６Ｎｓ／ｍ３〜１８・１０６Ｎｓ／ｍ３の固有音響インピーダンスを有する場合、対応する利点が得られる。
【００２４】
０．８・１０６Ｎｓ／ｍ３〜１８・１０６Ｎｓ／ｍ３の、音響要素および／または第１の表面領域の領域の層の固有音響インピーダンスＺが有効な騒音低減に不可欠であり、その要因であることが見出された。０．８・１０６Ｎｓ／ｍ３〜６・１０６Ｎｓ／ｍ３の固有音響インピーダンス、および／または６・１０６Ｎｓ／ｍ３〜１１・１０６Ｎｓ／ｍ３の固有音響インピーダンス、および／または１１・１０６Ｎｓ／ｍ３〜１８・１０６Ｎｓ／ｍ３の固有音響インピーダンスが有利である。
【００２５】
このような音響要素の場合、固有音響インピーダンスは、ホイールの内圧変動におおむね無関係であることが重要であることも分かった。固有音響インピーダンスは、特に、本体全体を気密に囲む層を有する音響要素の場合よりもホイールの内圧変動に無関係である。
【００２６】
好適な実施形態において、層は、少なくとも第１の表面領域の領域において、１００Ｎｍ〜６０００Ｎｍの曲げ剛性、好ましくは１０００Ｎｍ〜６０００Ｎｍの曲げ剛性を有する。曲げ剛性は、Ｅ・ｈ３／（１２・（１−μ２））で与えられる。弾性率Ｅは、ＤＩＮ  ＥＮ  ＩＳＯ  ６７２１−１〜６７２１−３に従って測定され得る。ポアソン比μは、ＤＩＮ  ＥＮ  ＩＳＯ  ５２７−１に従って測定され得る。ｈは、層の厚さを示す。このような層は、吸音のための膜吸収材の塊として極めて好適である。これも第１の表面領域の位置を変えることによって騒音吸収をもたらす。
【００２７】
音響要素が第１の表面領域に垂直な力の影響下で１００Ｎ／ｍ〜２００００Ｎ／ｍのばね定数を有する場合も有利である。上記の塊とともに、これは、吸音のためにさらに適した膜吸収材をもたらす。この場合、本体が第１の表面領域に垂直な方向からの力の影響下で１００Ｎ／ｍ〜１０００Ｎ／ｍのばね定数、および／または１０００Ｎ／ｍ〜８０００Ｎ／ｍのばね定数、および／または８０００Ｎ／ｍ〜２００００Ｎ／ｍのばね定数を有する場合に好都合である。塊とばね定数とを好適に組み合わせることにより、例えば好ましく吸収される周波数を設定することができる。
【００２８】
さらなる実施形態において、層は、少なくとも第１の表面領域の領域において、６・１０−６Ｎｍ〜１・１０−２Ｎｍ、好ましくは６・１０−６Ｎｍ〜１・１０−４Ｎｍの曲げ剛性を有する。第１の表面領域の範囲内のこのような小さい曲げ剛性により、音によって引き起こされるそれぞれの表面領域内の位置の変化が局所的に異なるという結果になり得る。また、この結果、効率的な騒音吸収が可能になる。
【００２９】
また、少なくとも第１の表面領域の領域において、１・１０−２Ｎｍ〜１００Ｎｍ、好ましくは１Ｎｍ〜１０Ｎｍの層の曲げ剛性が有利であることが分かった。
【００３０】
好適な実施形態において、第１の表面領域の法線ベクトルのすべては、半径方向と９０°より小さい角度、好ましくは０°〜４５°の角度、特に好ましくは０°〜３０°の角度を形成する。第１の表面領域の法線ベクトルのすべてが半径方向と０°〜１０°、好ましくは０°〜５°の角度を形成する場合も有利である。
【００３１】
この場合、第１の表面領域の法線ベクトルのすべてが半径方向内向きの成分を有する場合に好都合である。高反射率を有するこのような表面領域の半径方向外側にあるタイヤの内部の空間の体積は、さらなる共振周波数でのルームモードの範囲の減少に寄与し、それは、より高い周波数への音圧レベルの再分布をもたらす。
【００３２】
しかしながら、第１の表面領域の法線ベクトルのすべてが半径方向外向き成分を有する場合も好都合である。高反射率を有するこのような表面領域の半径方向内側にあるタイヤの内部の空間の体積は、結果的に、さらなる共振周波数でのルームモードの範囲の減少に寄与し、それは、より低い周波数への音圧レベルの再分布をもたらす。
【００３３】
第１の表面領域の法線ベクトルのすべてが軸方向または円周方向と０°〜４５°、好ましくは０°〜３０°、特に好ましくは０°〜１０°の角度を形成する場合に有利であることが分かった。
【００３４】
特に好ましい実施形態において、音響要素は、多孔質材料、好ましくは発泡体から形成され、かつ騒音の低減に好適である減衰要素を有する。結果として、音響要素は、音のさらなる低減を可能にする。これは、減衰要素の多孔質材料による吸音によって行われ得る。
【００３５】
本体が減衰要素を含むかもしくは減衰要素によって形成される場合、または減衰要素が第１の表面領域上に配置される場合、または減衰要素が第１の表面領域上に配置され、かつ法線ベクトルのすべてが半径方向内向きの成分を有する場合に好都合である。結果として、さらにより効率的な騒音低減が音響要素の簡単な構造とともに可能になる。
【００３６】
減衰要素が接合剤によってタイヤ表面に確実に接続される場合も好都合である。
【００３７】
多孔質材料は、標準的なＣｏｎｔｉＳｉｌｅｎｔ（登録商標）発泡体、ならびに／または例えば２０ｋｇ／ｍ３〜８５ｋｇ／ｍ３の密度および３．５キロパスカル〜１０キロパスカルの硬さを有するポリウレタンもしくはポリエステルであり得る。さらに可能な多孔質材料は、ポリウレタン、および／もしくはポリエステル、および／もしくはポリエーテルの混合物、またはポリエーテル系もしくはポリエステル系ウレタンフォームを含み、かつ／あるいは任意の望ましい吸音材料混合物、例えばグラスウールもしくはロックウール、ループパイル布帛もしくはディープパイル布帛、または不織布材料、またはコルクを含む。減衰要素として好適であるさらに可能な多孔質材料は、例えば、メラミン樹脂発泡体または建築用発泡体である。さらに、減衰要素の材料は、特に、例えば最大１００ｋｇ／ｍ３の密度および／または例えば１．５キロパスカルの圧縮硬さを有する。
【００３８】
接合剤は、封止材および／または接着剤であり得る。タイヤの表面に減衰要素を取り付けるとき、接合剤は、好ましくは、封止材、特に好ましくは自動シール性封止材である。ホイールリムの表面に減衰要素を取り付けるとき、接合剤は、好ましくは、接着剤である。
【００３９】
封止材は、特にポリウレタンゲルまたはブチルゴム系封止材である。それは、好ましくは、接着剤と組み合わせたブチルゴム系封止材である。接着剤は、接着テープ、および／またはシリコーン系接着剤、および／または二液型接着剤、および／または建築用接着剤、および／またはポリウレタン接着剤、および／またはゴム系接着剤、および／またはタイヤ修理接着剤、および／または瞬間接着剤、および／またはシアノアクリレートをベースとした接着剤、および／またはポリエチレンテレフタレート構造を有する水性アクリル系をベースとした接着剤、および／またはアセトンに溶解されたホルムアルデヒド樹脂を有するアクリロニトリルブタジエンゴムをベースとした接着剤、および／またはシランポリエーテルをベースとした接着剤、および／またはブチルゴムで架橋されたポリブテンをベースとした接着剤、および／またはアルコキシシリコーンをベースとした接着剤であり得る。
【００４０】
本体が、端縁によって区切られる、タイヤの内部の空間に面する表面領域を有する場合および層が表面領域上に配置される場合に有利である。層は、この場合、表面領域全体にわたって延在するかまたは表面領域の一部にのみ延在し得る。層は、表面領域の端縁を越えても延在し得る。層は、表面領域の端縁から完全にまたは部分的に間隔を空けて配置され得る。本明細書において、部分的に間隔を空けてとは、層がすべての端縁から間隔を空けて配置されるわけではないことを意味する。
【００４１】
減衰要素が、端縁によって互いに区切られる、タイヤの内部の空間に面するＮ個の表面領域を有する場合に好都合であり、層は、減衰要素の全部でＮ個の表面領域の１〜Ｎ−１個の表面領域上に配置される。例えば、減衰要素は、直方体として形成され得、１つの側面でタイヤ内面に取り付けられ得る。結果的に、端縁によって互いに区切られる、タイヤの内部の空間に面する５つの表面領域が残る。ここで、層は、表面領域の１つ、２つ、３つまたは４つの上に配置され得る。
【００４２】
減衰要素または本体が貫通開口部を有する場合および層が表面上に配置されて開口部を補強する場合に有利である。
【００４３】
減衰要素または本体の幾何学的な形態は、半径方向もしくは半径方向とは逆の方向に先細りであるかまたは一定のままであり得る。それは、例えば、直方体、角錐、角錐台、逆角錐台、平行六面体または一般的な円柱であり得る。それは、垂直なまたは角度付きの三次元形態であり得る。
【００４４】
層が０．０１ｍｍ〜２０ｍｍの層厚さを有する場合に有利である。０．０１ｍｍ〜５ｍｍの小さい層厚さを有する層だけでなく、５ｍｍ〜１２ｍｍの適度な層厚さを有する層および１２ｍｍ〜２０ｍｍのより大きい層厚さを有する層も好適かつ有利であることが分かった。
【００４５】
層は、通気性層または非通気性層として設計され得る。層は、非透水性層または透水性層として設計され得る。
【００４６】
層は、本体の表面上に完全にまたは部分的に配置される。
【００４７】
層は、この場合、プラスチック膜、金属膜、好ましくはアルミニウム膜、繊維強化膜、天然材料を含む層、炭素繊維を含む層、アラミドを含む層、硬化コーティング、ラッカーまたはゴムの層、好ましくはスポンジゴムの層、本体の表面のコーティングおよび本体の未処理の外面によって形成される群から選択され得る。このような層は、優れた反射特性を有する。
【００４８】
層は、本体以外の音響要素の要素、好ましくは膜として設計され得る。この場合、層は、接合剤によって本体に接続され得る。層は、コルクまたは樹脂などの天然材料、好ましくはエポキシ樹脂系樹脂または炭素繊維もしくはアラミドを含み得る。
【００４９】
層は、本体の表面を形成するか、またはそれを形成することに関与し得る。層はまた、本体の未処理の外面であり得、好ましくは減衰要素の多孔質材料の未処理の外面であり得る。層は、発泡時に生成される減衰要素の発泡体のスキンであり得る。結果として、簡単な構造の有効な音響要素が作成される。コーティングは、液体状態で減衰要素に加えられ、次いで硬化され得る。未処理の外面は、多孔質材料の製作プロセス後の減衰要素の多孔質材料の未処理の外面であり得る。それは、結果的に切断面ではない。それは、例えば、発泡体の自然表面である。
【００５０】
音響要素の本体が円周方向に閉じられるように形成される場合に好都合である。第１の表面領域が円周方向に閉じられるように形成される場合に有利である。結果として、均一性の良好な特性を有する非常に簡単な設計が得られる。
【００５１】
しかしながら、第１の表面領域は、タイヤの円周の部分的な領域上にのみ延在し得る。音響要素がタイヤの内部の空間に面して配置される複数の第１の表面領域を有する場合も好都合である。音響要素が本体に面して配置される複数の第１の表面領域を有する場合も好都合である。前記表面領域のすべては、同じ層にまたは互いから間隔を空けて配置される複数の層に割り振られ得る。
【００５２】
音圧レベルの効率的な再分布のために、２つ、３つまたはそれを超える音響要素がタイヤの円周にわたって分布配置される場合に有利である。結果として、材料は、取り囲む要素と比較して節約される。音響要素のすべては、互いに同じにまたは互いに少なくとも部分的に異なって形成され得る。それらは、例えば、寸法または形状が互いに異なり得る。少なくとも２つの音響要素は、間隔を空けて配置されるかまたはそれらの軸方向範囲に重なり合って配置され得る。
【００５３】
空気式車両用タイヤが１つまたは複数のさらなる減衰要素を有する場合に好都合である。
【００５４】
本発明による音響要素は、ホイールリム上および／または代わりにホイールリム上のタイヤ内面にも配置され得る。この場合、説明で開示されて、説明に対応する方法でタイヤ内面上に配置される実施形態のすべてに関して、本発明による音響要素は、タイヤの内部の空間を区切る内部リム面上に配置され得る。
【００５５】
空気タイヤの軸方向、半径方向および円周方向は、ホイールリムの軸方向、半径方向および円周方向と一致する。
【００５６】
本発明は、結果的に、特に少なくとも１つの音響要素を有するホイールリムであって、ホイールリムに取り付けられた空気式車両用タイヤは、タイヤの内部の空間をリムとともに形成し、
・本体と層とを含む音響要素は、タイヤの内部の空間を区切ることに関与する内部リム面上に配置され、
・本体は、内部リム面上に配置され、
・層は、タイヤの内部の空間に面する本体の表面領域上に配置され、
・層は、タイヤの内部の空間に面する本体の表面の少なくとも１５％、好ましくは少なくとも２０％、特に好ましくは少なくとも３０％の上に配置され、
・層は、内部リム面から間隔を空けて配置される第１の表面領域を有し、
・第１の表面領域は、第１の表面領域の反対側にある層の表面領域に空圧的に接続され得、
・層は、ｆ＝ｃ／（（Ｒ＋ｒ）・π）（式中、Ｒは、公称タイヤ径であり、およびｒは、公称リム径であり、およびｃ＝３４３ｍ／ｓである）の基準周波数ｆで測定される、第１の表面領域に当たる音波について少なくとも８０％の音反射率を有する、ホイールリムにも関する。
【００５７】
この場合、音響要素が、多孔質材料から形成され、かつ騒音の低減に好適である減衰要素を有する場合に特に有利であることが分かった。
【００５８】
本発明は、ホイールリムを有する車両ホイールおよびホイールリムに取り付けられた空気式車両用タイヤであって、ホイールリムおよび／または空気式車両用タイヤは、本発明による少なくとも１つの音響要素を有する、車両ホイールおよび空気式車両用タイヤにも関する。
【００５９】
それは、乗用車、バン、ＳＵＶ、ライトトラック、商用車、自動二輪車またはバスのためのホイール、タイヤまたはホイールリムであり得る。
【００６０】
ここで、本発明のさらなる特徴、利点および詳細は、例示的な実施形態を示す概咯図に基づいてさらに詳細に説明される。
【図面の簡単な説明】
【００６１】
【図１】本発明による少なくとも１つの音響要素を有する、本発明による車両ホイールの半径方向の部分断面を示す。
【図２】本発明による少なくとも１つの音響要素を有する、本発明による車両ホイールの半径方向の部分断面を示す。
【図３】本発明による音響要素を示す。
【発明を実施するための形態】
【００６２】
図１は、ホイールリム１８を有する車両ホイールおよびリム１８に取り付けられたラジアルタイプの構造の空気式車両用タイヤＬの半径方向の部分断面を示す。示された空気式車両用タイヤＬを構成する不可欠な構成要素は、大部分が非通気性である内部層１、少なくとも１つの強化層を含み、従来通り、空気式車両用タイヤＬのクラウン部の領域からサイドウォール３を越えてビード領域４に到達し、高張力ビードコア５の周りに巻き付けることによってそこに固定されるカーカス２、カーカス２の半径方向外側に配置される異形トレッド６およびトレッド６とカーカス２との間に配置される多層ベルト組立体７である。これは、乗用車または商用車のためのホイールであり得る。
【００６３】
本発明によるタイヤＬは、ホイールリム１６に気密に取り付けられ得る。ホイールリムは、一体で形成されるかまたは複数の部品で形成され得る。ホイールリムおよびタイヤで取り囲まれる空間は、タイヤの内部の空間１７と呼ばれ、表面は、内部タイヤ表面１０または内部リム面１８としてタイヤの内部の空間１７を区切る。
【００６４】
本体１２と層１３とを含む音響要素８は、トレッド６の反対側にある半径方向内側のタイヤ表面１０上に配置される。本体１２は、内部タイヤ表面１０上に配置されて、接合剤１４によって内部タイヤ表面１０に接続される。
【００６５】
層１３は、タイヤの内部の空間１７に面する本体１２の表面領域上に配置される。層１３は、この場合、タイヤの内部の空間１７に面する本体１２の表面の少なくとも１５％、好ましくは少なくとも２０％、特に好ましくは少なくとも３０％の上に配置される。
【００６６】
層１３は、タイヤの内部の空間１７に面して、内部タイヤ表面１０から間隔を空けて配置される第１の表面領域９を有する。層１３は、第１の表面領域９の反対側にある表面領域１１も有する。２つの表面領域９、１１は、層１３内を２つの表面領域９、１１に垂直に延びる線によって接続され得る。
【００６７】
第１の表面領域９は、層の反対側の表面領域１１に空圧的に接続され得る。示された場合では、層１３は、このため、空気が通過できる２つの表面領域９、１１の接続を層１３の自由端１５の周りに有する配置を有する。層１３の２つの表面領域９、１１は、結果的に、完全に閉じられた空間を取り囲まない層の領域に配置される。空気が通過できるこのような接続は、空気が通過できる層１３内の開口および／または空気に対する層１３の透過性によっても作成できる。
【００６８】
層１３の第１の表面領域９は、ＤＩＮ  ＥＮ  ＩＳＯ  １０５３４−２に従った標準状態下でｆ＝ｃ／（（Ｒ＋ｒ）・π）（式中、Ｒは、公称タイヤ径であり、およびｒは、公称リム径であり、およびｃ＝３４３ｍ／ｓである）の基準周波数ｆで測定される少なくとも８０％の音反射率を有する。音反射率は、少なくとも９０％、好ましくは少なくとも９５％、特に好ましくは少なくとも９９％であり得る。
【００６９】
層１３は、タイヤの内部の空間１７に面して配置される第１の表面領域９を有する。反対側の表面領域１１は、本体１２に面して配置される。また、反対側の表面領域１１は、対応する反射率を有する第１の表面領域として設計され得る。
【００７０】
層１３は、少なくとも第１の表面領域９の領域において、０．８・１０６Ｎｓ／ｍ３〜１８・１０６Ｎｓ／ｍ３、好ましくは１１・１０６Ｎｓ／ｍ３〜１８・１０６Ｎｓ／ｍ３の固有音響インピーダンスを有する。
【００７１】
層１３は、少なくとも第１の表面領域の領域において、１００Ｎｍ〜６０００Ｎｍの曲げ剛性および１００Ｎ／ｍ〜２００００Ｎ／ｍのばね定数を有する。しかしながら、層１３は、少なくとも第１の表面領域の領域において、６・１０−６Ｎｍ〜１・１０−２Ｎｍの曲げ剛性および１００Ｎ／ｍ〜２００００Ｎ／ｍのばね定数も有し得る。
【００７２】
第１の表面領域９および反対側の表面領域１１の法線ベクトル１９のすべては、半径方向ｒＲと９０°より小さい角度２０、好ましくは０°〜１０°の角度２０、好ましくは０°〜５°の角度２０を形成する。第１の表面領域９の法線ベクトル１９のすべては、半径方向内向きの成分を有する。反対側の表面領域１１の法線ベクトル１９のすべては、半径方向外向きの成分を有する。第１の表面領域９の法線ベクトル１９のすべては、一方向に向けられ、反対側の表面領域１１の法線ベクトル１９のすべては、その反対の方向に向けられる。
【００７３】
音響要素８は、多孔質材料から形成され、かつ騒音の低減に好適である減衰要素を有する。この場合、本体１２は、減衰要素によって形成される。減衰要素は、接合剤１４により、好ましくは自動シール性封止材により、内部タイヤ表面１０に接続される。多孔質材料は、発泡体であり得る。半径方向外側から変形方向内側への要素の順序は、以下の通りである：内部タイヤ表面１０、接合剤１４、減衰要素１２、層１３。
【００７４】
本体１２は、端縁２１によって区切られるタイヤの内部の空間１７に面し、層１３が配置される表面領域を有する。
【００７５】
層１３は、０．０１ｍｍ〜２０ｍｍの層厚さを有する。層厚さは、半径方向の範囲の長さである。０．０１ｍｍ〜５ｍｍの小さい層厚さを有する層だけでなく、５ｍｍ〜１２ｍｍの適度な層厚さを有する層および１２ｍｍ〜２０ｍｍのより大きい層厚さを有する層も好適かつ有利であることが分かった。層１３は、通気性層または非通気性層として設計され得る。層１３は、非透水性層または透水性層として設計され得る。
【００７６】
層１３は、この場合、プラスチック膜、金属膜、好ましくはアルミニウム膜、繊維強化膜、天然材料を含む層、炭素繊維を含む層、アラミドを含む層、硬化コーティング、ラッカーまたはゴムの層、好ましくはスポンジゴムの層、本体の表面のコーティングおよび本体の未処理の外面によって形成される群から選択され得る。このような層は、優れた反射特性を有する。
【００７７】
層１３は、本体１２以外の音響要素８の要素、好ましくは膜として設計され得る。この場合、層１３は、接合剤によって本体１２に接続され得る。層１３は、天然材料、好ましくはコルクまたは樹脂、好ましくはエポキシ樹脂系樹脂または炭素繊維またはアラミドを含み得る。
【００７８】
層１３は、本体１２の表面を形成するか、またはそれを形成することに関与し得る。層１３は、本体１２の未処理の外面であり得、好ましくは減衰要素の多孔質材料の未処理の外面であり得る。層１３は、発泡時に生成される減衰要素の発泡体のスキンであり得る。結果として、簡単な構造の効率的な音響要素が作成される。コーティングは、液体状態で減衰要素に加えられ、次いで硬化され得る。未処理の外面は、多孔質材料の製作プロセス後の減衰要素の多孔質材料の未処理の外面であり得る。それは、結果的に切断面ではない。それは、例えば、発泡体の自然表面である。
【００７９】
示される実施形態において、本体１２および／または第１の表面領域９は、円周方向Ｕに閉じられるように形成され得る。しかしながら、第１の表面領域９は、タイヤの円周の部分的な領域上にのみ延在し得る。しかしながら、第１の表面領域９は、タイヤＬの円周の部分的な領域上にのみ延在し得る。音響要素８は、タイヤの内部の空間１７に面して配置される複数の第１の表面領域９を有し得る。音響要素８は、本体１２に面して配置される複数の第１の表面領域９を有し得る。前記表面領域９のすべては、同じ層１３にまたは互いから間隔を空けて配置される複数の層１３に割り振られ得る。
【００８０】
タイヤＬは、複数の音響要素８および／または減衰要素を有し得る。
【００８１】
図２は、車両ホイールの部分断面を示し、１つまたは複数の第１の表面９を有する音響要素８は、ホイールリム１６の内面１８上に配置される。音響要素８は、図１で説明された音響要素８に対応する方法で設計され得る。少なくとも１つの音響要素８は、接合剤１４による接合方法でホイールリム１６の内面１８に取り付けられる。
【００８２】
図３は、図１に示されるような空気式車両用タイヤＬに好適な音響要素８のさまざまな例示的な実施形態を示す。音響要素８は、図２に示されるようなホイールリムへの取付けにも好適である。この場合、半径方向は、反対方向である。
【００８３】
示される音響要素８は、図１に示された音響要素８と以下の通り異なる。
【００８４】
図３ａは、柱を示し、その側部領域は、層１３によって囲まれる。第１の表面領域９の法線ベクトル２２のすべては、円周方向と最大４５°、好ましくは最大３０°の角度２０を形成する。第１の表面領域９の法線ベクトル２３のすべては、軸方向と最大４５°、好ましくは最大３０°の角度を形成する。層１３は、自由端１５を有する。
【００８５】
図３ｂは、おおむね立方体様の音響要素８を示し、層９は、タイヤの内部の空間１７に面する本体１２の全表面上に配置される。層９は、空気に透過性であるように形成される。
【００８６】
図３ｃは、さらなる立方体様の音響要素８を示し、本体１２は、端縁２１によって区切られるタイヤの内部の空間１７に面する表面領域を有し、層１３は、表面領域上に配置される。層１３は、この場合、表面領域の一部のみにわたって延在する。層１３は、表面領域の端縁２１から完全に間隔を空けて配置される。
【００８７】
図３ｄは、音響要素８の断面を示し、本体１２は、貫通開口部２４を有する。層１３は、本体１２の表面上に配置されて開口部２４を補強する。
【符号の説明】
【００８８】
１  内部層
２  カーカス
３  サイドウォール
４  ビード領域
５  ビードコア
６  トレッド
７  ベルト組立体
８  音響要素
９  第１の表面領域
１０  内部タイヤ表面
１１  反対側の表面領域
１２  本体
１３  層
１４  接合剤
１５  自由端
１６  ホイールリム
１７  タイヤの内部の空間
１８  内部リム面
１９  法線ベクトル
２０  角度
２１  端縁
２２  法線ベクトル
２３  法線ベクトル
２４  貫通開口部
Ｒ  車両ホイール
Ｌ  空気式車両用タイヤ
ａＲ  軸方向
ｒＲ  半径方向
Ｕ  円周方向
【図１】
0006803984.tif 000002
【図２】
0006803984.tif 000003
【図３ａ】
0006803984.tif 000004
【図３ｂ】
0006803984.tif 000005
【図３ｃ】
0006803984.tif 000006
【図３ｄ】
0006803984.tif 000007